(57)【要約】【課題】  壁掛けエアコンを提供する。【解決手段】  排風口（１０)が設けられたパネル（１)とファンブレード機構（３)とを備え、ファンブレード機構（３)が排風口（１０)の下部（１０２)に設けられる。本発明の壁掛けエアコンによると、風力を有効に緩衝し、空気方向を改善し、人体の快適さを向上できる。【選択図】図１
2013524155.tif 000002
【特許請求の範囲】
【請求項１】
パネル（１）と、前記パネル（１)に設けられる排風口（１０)と、ファンブレード機構（３)とを備える壁掛けエアコンであって、
前記ファンブレード機構（３)が前記排風口（１０)の下部（１０２)に設けられることを特徴とする壁掛けエアコン。
【請求項２】
前記ファンブレード機構(３)が、
前記排風口（１０)の下部（１０２)の排風口台に装着される基台（３１)と、
前記基台（３１)上に順に設けられる複数のファンブレード（３５)と、
前記壁掛けエアコンの送風モーター駆動出力端に伝動接続され、それぞれ前記複数のファンブレード（３５)に接続される伝動機構（３３)と、を備えることを特徴とする請求項１に記載の壁掛けエアコン。
【請求項３】
前記ファンブレード（３５)が、
前記伝動機構（３３)に接続されるブレード本体（３５１)と、
前記ブレード本体(３５１)の底部に設けられ、前記基台（３１)に固定されるブレード台（３５３)と、
前記ブレード本体（３５１)と前記ブレード台（３５３)との間に接続される弾性接続部（３５５)と、を備えることを特徴とする請求項２に記載の壁掛けエアコン。
【請求項４】
前記弾性接続部(３５５)は、細長い形であり、その上端が前記ブレード本体（３５１)の内部縁部に接続されることを特徴とする請求項３に記載の壁掛けエアコン。
【請求項５】
前記伝動機構（３３)は、複数の凹溝が設けられたコネクティングロッドであり、
前記ブレード本体（３５１)の外側にブレード係合口（３５２)が設けられ、各前記ブレード本体（３５１)の前記ブレード係合口（３５２)はそれぞれ前記コネクティングロッド上の一つの対応する凹溝に係合されることを特徴とする請求項４に記載の壁掛けエアコン。
【請求項６】
前記伝動機構（３３)は、複数の環状摩擦部が設けられたコネクティングロッドであり、
前記ブレード本体（３５１)の一側にブレード係合口（３５２)が設けられ、各前記ブレード本体（３５１)の前記ブレード係合口（３５２)はそれぞれ前記コネクティングロッド上の対応する摩擦部にしっかり接合されることを特徴とする請求項４に記載の壁掛けエアコン。
【請求項７】
前記ブレード係合口（３５２)が前記ブレード本体（３５１)の外側縁部の中部に設けられることを特徴とする請求項５又は６に記載の壁掛けエアコン。
【請求項８】
前記ファンブレード機構（３)が、
前記基台（３１)に回転可能に設けられ、手動付勢部(３２１)と歯車部（３２２)を含む回転軸（３２)と、前記コネクティングロッドに設けられ、前記歯車部に噛合う歯車ラックとを備える手動調節装置をさらに含むことを特徴とする請求項１乃至６の中のいずれかに記載の壁掛けエアコン。
【請求項９】
前記手動付勢部が、前記回転軸（３２)の中部に設けられた多面柱体部分であり、
前記歯車部が、前記回転軸（３２)の上端に設けられることを特徴とする請求項８に記載の壁掛けエアコン。
【請求項１０】
前記ファンブレード機構(３)の基台（３１)が、
少なくとも前記基台（３１)の縦方向に沿う縁部に設けられるざぐり台部（３７)と、
内部に前記基台（３１)を貫通するざぐり孔（３８１)が設けられたざぐり溝部（３８)と、をさらに備え、
前記壁掛けエアコンの排風口台に、前記ざぐり台部（３７)の縁部と前記ざぐり溝部（３８)のざぐり孔（３８１)に係合する係合ヘッドが設けられることを特徴とする請求項９に記載の壁掛けエアコン。
【発明の詳細な説明】
【技術分野】
【０００１】
本発明は、室内のエアコン分野に関し、具体的に、壁掛けエアコンに関するものである。
【背景技術】
【０００２】
既存技術において、壁掛けエアコンにおけるファンブレードは、通常、排風口の上部に設けられ、エアコンの排風口の下部排風量が上部排風量より大きいので、ファンブレードが排風口の上部に装着された場合、エアコンの排風角度の調節及び快適さがある程度制限され、エアコンから排出された風を室内で良好に移動させることができないと共に、部屋内の人の快適さを低下させてしまう。
【発明の概要】
【発明が解決しようとする課題】
【０００３】
本発明は、エアコンの排風角度が制限され、理想的な快適さを得られない問題を解決できる壁掛けエアコンを提供することをその目的とする。
【課題を解決するための手段】
【０００４】
上記目的を実現するため、本発明によると、排風口が配置されたパネルと、前記排風口の下部に装着されるファンブレード機構と、を備える壁掛けエアコンを提供する。
【０００５】
また、上記ファンブレード機構は、上記排風口の下部の排風口台に装着される基台と、順に基台に設けられる複数のファンブレードと、壁掛けエアコンの送風モーター駆動出力端に伝動接続され、それぞれ複数のファンブレードに接続される伝動機構と、を備えることができる。
【０００６】
また、上記ファンブレードは、伝動機構に接続されるブレード本体と、前記ブレード本体の底部に設けられ、基台に固定されるブレード台と、ブレード本体とブレード台との間に接続される弾性接続部と、を備えることができる。
【０００７】
また、上記弾性接続部は細長い形で、その上端は上記ブレード本体の内部縁部に接続することができる。
【０００８】
また、上記伝動機構は、複数の凹溝が設けられたコネクティングロッドであり、上記ブレード本体の外側にブレード係合口が設けられ、各上記ブレード本体の前記ブレード係合口はそれぞれ前記コネクティングロッド上の一つの対応する凹溝に係合することができる。
【０００９】
また、上記伝動機構がコネクティングロッドである場合、それに複数の環状摩擦部を設けることもでき、上記ブレード本体の一側にブレード係合口が設けられ、各上記ブレード本体の前記ブレード係合口はそれぞれ前記コネクティングロッド上の一つの対応する摩擦部にしっかり接合される。
【００１０】
また、上記ブレード係合口を、上記ブレード本体の外側縁部の中部に設けることもできる。
また、上記ファンブレード機構は、さらに、回転可能に基台に設けられ、手動付勢部と歯車部を含む回転軸と、コネクティングロッドに設けられ、歯車部と噛合う歯車ラックと、を含む手動調節装置を備えることができる。
【００１１】
また、手動付勢部は、回転軸の中部に設けられる多面柱体部分であり、歯車部は回転軸の上端に設けるようにしてもよい。
【００１２】
また、上記ファンブレード機構の基台は、さらに、少なくとも上記基台の縦方向に沿う縁部に設けられるざぐり台部と、内部に上記基台を貫通するざぐり孔が設けられるざぐり溝部と、を備え、エアコンの排風口台にざぐり台部の縁部とざぐり溝部のざぐり孔に係合される係合ヘッドを設けることができる。
【発明の効果】
【００１３】
本発明によると、次の技術的効果を実現できる。
１、排風口の下部の排風量が上部の排風量より大きいので、ファンブレード機構を排風口の下部に設け、空気方向を有効に案内でき、送風角度を改善し、人体の快適さを向上できる。
２、ファンブレード機構が、基台と、伝動機構と、ファンブレードとを互いに組み合わせた構造に形成されることによって、ブレード本体の柔軟な移動性を保証できると共に、当該機構の着脱作業の便宜を図って、前記ファンブレード機構における部品が故障した場合、又はクリーニングしようとする場合、各部品を簡単且つ速やかにはずすことができ、作業率を向上できる。
３、前記伝動機構に伝動接続される手動調節装置を用いることによって、ファンブレードの揺れ角度を手動で調節でき、ファンブレード機構の柔軟性を一層向上できる。
４、矩形ざぐり溝に位置決め開口を設けて、位置決め係合ヘッドと合わせて、また位置決めピンと位置決め孔とを合わせる形態でファンブレード機構を排風口の下部の基台に装着し、ファンブレード機構の着脱効率を向上できる。
【００１４】
本発明は、上述の目的、特徴及びメリット以外、他の目的、特徴及びメリットも有する。
以下、図面を参照して本発明をさらに詳しく説明する。
【００１５】
ここで説明する図面は本発明を理解させるためのもので、本発明の一部を構成し、本発明における実施例と共に本発明を解釈し、本発明を不当に限定するのではない。
【図面の簡単な説明】
【００１６】
【図１】本発明の好適な実施例に係わる組み合わせ構造を示す図である。
【図２】本発明の好適な実施例に係わるファンブレード機構の構造を示す図である。
【図３】本発明の好適な実施例に係わるフォンブレードの構造を示す図である。
【図４】図１における手動回転装置の拡大図である。
【発明の実施の形態】
【００１７】
以下、図面を参照しつつ実施例を結合して本発明を詳しく説明するが、本発明は、特許請求の範囲に限定・カバーされたさまざまな形態で実施することができる。
【００１８】
図１に示すように、本発明による壁掛けエアコンは、パネル１と、パネル１に設けられた排風口１０と、排風口の下部１０２に設けられたファンブレード機構３と、を備える。
【００１９】
既存技術において、通常、送風用の装置を排風口１０の上部位置１０１に装着するが、排風口の下部１０２の排風量が上部の排風量より大きいので、排風口１０の上部に位置する送風用の装置が排風口の下部１０２に近寄る排風を有効に送風できなく、エアコンの排風角度も制限される。本発明によると、ファンブレード機構３を排風口の下部１０２に設けることによって、排風方向を有効に改善し、大きい風力によって排風角度を改善してエアコンの排風の室内における移動範囲を拡張し、人体の快適さを向上する。
【００２０】
図２、図３に示すように、ファンブレード機構３による好適な送風角度を実現し、且つ当該ファンブレード機構３に柔軟な着脱可能性を持たせるため、ファンブレード機構３が、基台３１と、伝動機構３３と、伝動機構３３に伝動接続される複数のファンブレード３５と、を備えることが好ましい。その中、伝動機構３３は、その一端が壁掛けエアコンの送風モーター駆動出力端に伝動接続され、送風モーターの駆動によってファンブレード３５を左右に移動させ、複数のファンブレード３５は順次且つ等間隔に基台３１に設けられる。
【００２１】
ファンブレード３５の着脱作業が簡易になるように、ファンブレード３５が、ブレード本体３５１と、排風口１０の下部１０２の排風口台に固定されるブレード台３５３と、ブレード本体３５１とブレード台３５３を接続する弾性接続部３５５と、を含むことができる。
【００２２】
ファンブレード３５がさらに簡単に変形して空気案内角度を更に良好に変化させるように、また、ブレード本体３５１の揺れ角度をさらに大きくし、揺れ抵抗を低減させるように、弾性接続部３５５は細長い形に形成され、その上端がブレード本体３５１の内部縁部に接続される。
【００２３】
本実施例において、弾性接続部３５５の上端をブレード本体３５１の内部縁部の上端に接続することが好ましく、これにより弾性接続部３５５とブレード本体３５１の接続部分を有効に減少し、ブレード本体３５１の揺れの柔軟性を向上できる。
【００２４】
ブレード本体３５１は、弾性接続部３５５とブレード台３５３を介して基台３１に固定されることができる。弾性接続部３５５とブレード本体３５１は一体構造であることができれば、分離された構造であることもできる。弾性接続部３５５とブレード台３５３も一体構造であることができれば、分離された構造であることもでき、ブレード台３５３は挿入式で基台３１に固定されることができ、それに対応して、基台３１に対応する数量のスロットが設けられる。通常、ブレード本体３５１は湾曲可能な弾性材料で形成される。伝動機構３３によって、弾力に頼って左右に揺れる。
【００２５】
ファンブレード機構３を簡単にクリーニング及び保護できるように、伝動機構３３がブレード本体３５１と係合されることができ、伝動機構３３がコネクティングロッドで、ファンブレード３５が当該コネクティングロッドに係合されることができる。又は、コネクティングロッドに複数の凹溝を設け、それに対応し、ブレード本体３５１の一側にブレード係合口３５２を設け、各ブレード本体３５１のブレード係合口３５２がそれぞれコネクティングロッドの対応する凹溝に係合されることもできる。
【００２６】
上記コネクティングロッドに、さらに複数の環状摩擦部を設け、それに対応して、各ブレード本体３５１のブレード係合口３５２はそれぞれ、コネクティングロッドにおける一つの対応する摩擦部にしっかり接合され、摩擦力の作用で、コネクティングロッドに連れられてブレード本体３５１が左右に揺れる。
【００２７】
ブレード係合口３５２がブレード本体３５１の外側縁部の中部に設けられ、弾性接続部３５５に対向する側に位置されることができる。
【００２８】
ファンブレード機構３が動作する時、コネクティングロッドは、送風モーター駆動出力端に連れられて回転し、各ファンブレード３５のブレード本体３５１を左右移動させて送風し、排風角度を大きく調節する目的を実現する。
【００２９】
図４に示すように、ファンブレード３５の揺れ角度をさらに簡単に調節するため、且つ送風モーターが故障した場合空気方向を調節できない問題を防止するため、ファンブレード機構３がさらに手動調節装置を備えることができ、当該手動調節装置は、回転可能に基台３１に設けられ、手動付勢部３２１と歯車部３２２を含む回転軸３２と、コネクティングロッドに設けられ、歯車部３２２と噛合う歯車ラックと、を備える。
【００３０】
手動回転装置への付勢の便宜を図るため、手動付勢部３２１が回転軸３２の中部に設けられた多面柱体部分であることができ、歯車部３２２が回転軸３２の上端に設けられることもできる。
【００３１】
ファンブレード３５の揺れ角度を手動で調節する必要がある場合、多面柱体部分を手動で回転させて歯車部３２２を対応して回転させると、歯車部３２２の上端の歯車がコネクティングロッド上の歯車ラックと合わせてコネクティングロッドを左右に移動させて、ファンブレード３５を左右に移動させる。
【００３２】
手動付勢部３２１は、回転軸３２上に装着された取っ手として設けることもでき、当該取っ手を引くと回転軸３２を一つの角度回転させ、コネクティングロッドが縦方向に一定の距離移動し、コネクティングロッドに接続されたファンブレード３５を介して空気方向を調節できる。
【００３３】
ファンブレード機構３が排風口１０の下部１０２の排風口台に安定的に装着されるように、且つはずし作業の便宜を図るため、ファンブレード機構３がさらに、少なくとも基台３１の縦方向に沿う縁部に設けられ、その下側が着脱可能に排風口１０の下部の排風口台に固定されるざぐり台部３７を含むことが好ましい。
【００３４】
ざぐり台部３７は、半円形または矩形等の係合に適切な形状であることができ、本実施例において矩形であることが好ましい。
【００３５】
本実施例においては、基台３１の上頂面に幾つかの矩形ざぐり溝３８を着脱可能であるように設け、基台３１の両側と中央位置にそれぞれ一つの矩形ざぐり溝３８を設ける。そして、両側の矩形ざぐり溝３８の内部にそれぞれ基台３１を貫通する縁部ざぐり孔３８２を設け、排風口１０の下部１０２の排風口台の対応位置に縁部ざぐり孔３８２に整合する係合ヘッドが設けられる。更に、中央位置の矩形ざぐり溝３８の内部に基台３１を貫通する二つの中央ざぐり３８１を設け、また、対応して排風口１０の下部１０２の排風口台の対応位置に中央ざぐり孔３８１に対応する二つの係合ヘッドを設けることができる。
【００３６】
上記矩形ざぐり溝３８は、円形又は他の適切な形状であることができる。
【００３７】
ファンブレード機構３全体が本発明による壁掛けエアコンの排風口１０の下部１０２に装着される場合、排風口１０の下部１０２の排風口台上の係合ヘッドを縁部ざぐり孔３８２に挿入してファンブレード機構３を安定的に装着することができる。このような装着構造によると、ファンブレード機構３が故障した場合、又はファンブレード機構３をクリーニングしようとする場合、壁掛けエアコンから簡単にはずすことができる。
【００３８】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013524155.tif 000003
【図２】
2013524155.tif 000004
【図３】
2013524155.tif 000005
【図４】
2013524155.tif 000006
【国際調査報告】
2013524155.tif 000007
2013524155.tif 000008
2013524155.tif 000009
2013524155.tif 000010
2013524155.tif 000011
2013524155.tif 000012